【事件の表示】
　特許第２８９８６４８号「カメラ」の特許に対する特許異議の申立てについて、次のとおり決定する。
【結　論】
　訂正を認める。
　特許第２８９８６４８号の請求項１ないし２、５に係る特許を維持する。
【理　由】
（１）手続きの経緯
　本件特許第２８９８６４８号発明は、平成１年３月８日に特許出願され、平成１１年３月１２日にその発明の特許がなされ、その後、沢田　修一及び旭光学工業　株式会社より特許異議の申立てがなされ、取消理由通知がなされ、その指定期間内である平成１２年４月１９日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「【請求項１】被写体を撮影するための撮影レンズと、上記撮影レンズの光軸方向と直交する平面部を有する外装体と、上記外装体の平面部と略平行に配設されてなり、光学系の光路を配設するための光路配設用切欠を有する駆動回路基板と、上記駆動回路基板の一方に偏った位置に配設されてなり、上記撮影レンズによって結像された被写体像を光電変換するための撮像素子と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする電子カメラ。」
イ.訂正明細書の請求項５に係る発明
　訂正明細書の請求項５に係る発明は、その特許請求の範囲の請求項５に特定された次のとおりのものである。
　「【請求項５】被写体を撮影するための撮影レンズと、上記撮像レンズによって結像された被写体像を光電変換するための撮像素子と、上記撮影レンズの光軸方向と直交する平面部と、レリーズボタンを有する上記光軸方向と平行な上面部と、該上面部と平行な底面部とを有する外装体と、上記外装体の上面部側に偏って配設されたストロボユニットと、上記外装体の上面部側に偏って配設されたファインダ部と、上記外装体の平面部と略平行に配設されると共に、上記ストロボユニットとは別体に配設されてなり、光学系の光路を配設するための光路配設用切欠を有する駆動回路基板と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする電子カメラ。」
（ｉｉ）発明の詳細な説明の訂正
ア.明細書第４頁第３行〜第５行(特許掲載公報第２頁右欄第５行〜第３０行)の「本発明による・・・特徴とする。」を、「本発明による電子カメラは、被写体を撮影するための撮影レンズと、上記撮影レンズの光軸方向と直交する平面部を有する外装体と、上記外装体の平面部と略平行に配設されてなり、光学系の光路を配設するための光路配設用切欠を有する駆動回路基板と、上記駆動回路基板の一方に偏った位置に配設されてなり、上記撮影レンズによって結像された被写体像を光電変換するための撮像素子と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードとを具備したことを特徴とする。
本発明による他の電子カメラは、被写体を撮影するための撮影レンズと、上記撮像レンズによって結像された被写体像を光電変換するための撮像素子と、上記撮影レンズの光軸方向と直交する平面部と、レリーズボタンを有する上記光軸方向と平行な上面部と、該上面部と平行な底面部とを有する外装体と、上記外装体の上面部側に偏って配設されたストロボユニットと、上記外装体の上面部側に偏って配設されたファインダ部と、上記外装体の平面部と略平行に配設されると共に、上記ストロボユニットとは別体に配設されてなり、光学系の光路を配設するための光路配設用切欠を有する駆動回路基板と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードとを具備したことを特徴とする。」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）独立特許要件の判断
（引用刊行物に記載された発明）
　訂正前明細書の請求項１、２、５に係る発明に対して、当審が通知した取消理由で引用した実願昭６３−２０２２５号（実開平１−１２４７７０号）のマイクロフイルム（以下、「第１引用例」という。）には、被写体を撮影するための撮影レンズユニット１２と、上記撮影レンズユニット１２の光軸方向と直交する平面部を有するカメラ本体３０と、上記カメラ本体３０の平面部と略平行に配設されてなるＡ／Ｄ基板２０と、上記Ａ／Ｄ基板２０の一方に偏った位置に配設されてなり、上記撮影レンズユニット２０によって結像された被写体像を光電変換するための固体撮像デバイス１４と、上記カメラ本体３０の平面部と上記Ａ／Ｄ基板２０との間隙であって、上記光軸方向において上記固体撮像デバイス１４と重ならない位置に収納され、上記カメラ本体３０の平面部又は上記Ａ／Ｄ基板２０に沿って挿入、取り出しが可能な撮影情報を記憶するためのメモリカートリッジ１０と、を具備したことを特徴とする電子カメラ、および、被写体を撮影するための撮影レンズユニット１２と、上記撮像レンズユニット１２によって結像された被写体像を光電変換するための固体撮像デバイス１４と、上記撮影レンズユニット１２の光軸方向と直交する平面部と、上記光軸方向と平行な上面部と、該上面部と平行な底面部とを有するカメラ本体３０と、上記カメラ本体３０の上面部側に偏って配設されたストロボユニット２２と、上記カメラ本体３０の上面部側に偏って配設されたファインダ２６と、上記カメラ本体３０の平面部と略平行に配設されるＡ／Ｄ基板２０と、上記カメラ本体３０の平面部と上記Ａ／Ｄ基板２０との間隙であって、上記光軸方向において上記固体撮像デバイス１４と重ならない位置に収納され、上記カメラ本体３０の平面部又は上記Ａ／Ｄ基板２０に沿って挿入、取り出しが可能な撮影情報を記憶するためのメモリカートリッジ１０と、を具備したことを特徴とする電子カメラが記載されている。
（請求項１に係る発明についての対比・判断）
　本件請求項１に係る発明と第１引用例に記載の考案とを対比すると、本件請求項１に係る発明の「撮影レンズ」、「外装体」、「駆動回路基板」、「撮像素子」、「ＩＣカード」は、それぞれ第１引用例記載の考案の「撮影レンズユニット１２」、「カメラ本体３０」、「Ａ／Ｄ基板２０」、「個体撮像デバイス１４」、「メモリカートリッジ１０」に相当するから、両者は、被写体を撮影するための撮影レンズと、上記撮影レンズの光軸方向と直交する平面部を有する外装体と、上記外装体の平面部と略平行に配設されてなる駆動回路基板と、上記駆動回路基板の一方に偏った位置に配設されてなり、上記撮影レンズによって結像された被写体像を光電変換するための撮像素子と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする電子カメラで一致し、
Ａ本件請求項１に係る発明は、駆動回路基板が光学系の光路を配設するための光路配設用切欠を有するのに対して、第１引用例に記載の考案は、そのような記載が無い点で相違する。
　そして、この相違点Ａは、自明な事項または技術常識であるとも認められないから、両者が同一であるとすることはできない。
（請求項２に係る発明についての対比・判断）
　本件請求項２に係る発明は、本件請求項１に係る発明の構成の一部をさらに限定したものであるから、本件請求項１に係る発明と同様の判断となる。
（請求項５に係る発明についての対比・判断）
  本件請求項５に係る発明と第１引用例に記載の考案とを対比すると、本件請求項５に係る発明の「撮影レンズ」、「外装体」、「駆動回路基板」、「撮像素子」、「ＩＣカード」、「ストロボユニット」、「ファインダ部」は、それぞれ第１引用例記載の考案の「撮影レンズユニット１２」、「カメラ本体３０」、「Ａ／Ｄ基板２０」、「個体撮像デバイス１４」、「メモリカートリッジ１０」、「ストロボユニット２２」、「ファインダ２６」に相当するから、両者は、被写体を撮影するための撮影レンズと、上記撮像レンズによって結像された被写体像を光電変換するための撮像素子と、上記撮影レンズの光軸方向と直交する平面部と、上記光軸方向と平行な上面部と、該上面部と平行な底面部とを有する外装体と、上記外装体の上面部側に偏って配設されたストロボユニットと、上記外装体の上面部側に偏って配設されたファインダ部と、上記外装体の平面部と略平行に配設される駆動回路基板と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする電子カメラで一致し、
Ａ本件請求項１に係る発明は、駆動回路基板が光学系の光路を配設するための光路配設用切欠を有するのに対して、第１引用例に記載の考案は、そのような記載が無い点、
Ｂ本件請求項１に係る発明は、外装体上面部がレリ−ズボタンを有するのに対して、第１引用例に記載の考案は、そのような記載が無い点、
Ｃ本件請求項１に係る発明は、駆動回路基板がストロボユニットとは別体に配設されるのに対して、第１引用例に記載の考案は、そのような記載が無い点で相違する。
　そして、この相違点Ａ、Ｃは、自明な事項または技術常識であるとも認められないから、両者が同一であるとすることはできない。
　したがって、本件請求項１、２、５に係る発明は特許出願の際独立して特許を受けることができない発明とすることはできない。
（ｖ）むすび
　以上のとおりであるから、上記訂正請求は、特許法等の 一部を改正する法律(平成６年法律第１１６号)附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人沢田　修一及び旭光学工業　株式会社は、証拠として甲第１号証(実願昭６３−２０２２５号＜実開平１−１２４７７０号＞のマイクロフイルム)を提出し、訂正前の請求項１、２、５に係る発明は、特許法第２９条の２の規定に違反してなされたものであるから、特許を取り消すべき旨主張している。
イ.判断
本件請求項１、２、５に係る発明は、上記（２）の（ｉｖ）で述べた通りである。
ウ.むすび
　以上のとおりであるから、特許異議申立の理由及び証拠によっては、本件請求項１、２、５に係る発明の特許を取り消すことはできない。
　また、他に本件請求項１、２、５に係る発明の特許を取り消すべき理由を発見しない。
　よって、結論のとおり決定する。
【異議決定日】
平成１２年５月２日（２０００．５．２）
【訂正の要旨】
訂正の要旨
特許請求の範囲の減縮を目的として、下記（１）、（２）のように特許請求の範囲を訂正する。また、特許請求の範囲の訂正に応じて、発明の詳細な説明についても、適合性を持たせるために下記（３）のように訂正する。
（１）特許請求の範囲の請求項１を次のとおり訂正する。
　「【請求項１】被写体を撮影するための撮影レンズと、上記撮影レンズの光軸方向と直交する平面部を有する外装体と、上記外装体の平面部と略平行に配設されてなり、光学系の光路を配設するための光路配設用切欠を有する駆動回路基板と、上記駆動回路基板の一方に偏った位置に配設されてなり、上記撮影レンズによって結像された被写体像を光電変換するための撮像素子と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする電子カメラ。」
（２）特許請求の範囲の請求項５を次のとおり訂正する。
　「【請求項５】被写体を撮影するための撮影レンズと、上記撮像レンズによって結像された被写体像を光電変換するための撮像素子と、上記撮影レンズの光軸方向と直交する平面部と、レリーズボタンを有する上記光軸方向と平行な上面部と、該上面部と平行な底面部とを有する外装体と、上記外装体の上面部側に偏って配設されたストロボユニットと、上記外装体の上面部側に偏って配設されたファインダ部と、上記外装体平面部に配設されると共に、上記ストロボユニットとは別体に配設されてなり、光学系の光路を配設するための光路配設用切欠を有する駆動回路基板と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする電子カメラ。」
（３）明細書第４頁第３行〜第５行（特許掲載公報第２頁右欄第５行〜第３０行）の「本発明による・・・特徴とする。」を、「本発明による電子カメラは、被写体を撮影するための撮影レンズと、上記撮影レンズの光軸方向と直交する平面部を有する外装体と、上記外装体の平面部と略平行に配設されてなり、光学系の光路を配設するための光路配設用切欠を有する駆動回路基板と、上記駆動回路基板の一方に偏った位置に配設されてなり、上記撮影レンズによって結像された被写体像を光電変換するための撮像素子と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする。
本発明による他の電子カメラは、被写体を撮影するための撮影レンズと、上記撮像レンズによって結像された被写体像を光電変換するための撮像素子と、上記撮影レンズの光軸方向と直交する平面部と、レリーズボタンを有する上記光軸方向と平行な上面部と、該上面部と平行な底面部とを有する外装体と、上記外装体の上面部側に偏って配設されたストロボユニットと、上記外装体の上面部側に偏って配設されたファインダ部と、上記外装体と略平行に配設されると共に、上記ストロボユニットとは別体に配設されてなり、光学系の光路を配設するための光路配設用切欠を有する駆動回路基板と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、を具備したことを特徴とする。」と訂正する。
（５４）【発明の名称】
カメラ
（５７）【特許請求の範囲】
　【請求項１】　被写体を撮影するための撮影レンズと、
　上記撮影レンズの光軸方向と直交する平面部を有する外装体と、
　上記外装体の平面部と略平行に配設されてなり、光学系の光路を配設するための光路配設用切欠を有する駆動回路基板と、
　上記駆動回路基板の一方に偏った位置に配設されてなり、上記撮影レンズによって結像された被写体像を光電変換するための撮像素子と、
　上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、
　を具備したことを特徴とする電子カメラ。
　【請求項２】　上記駆動回路基板とは別体に配設されたストロボユニットを有することを特徴とする請求項１に記載の電子カメラ。
　【請求項３】　上記駆動回路基板には、上記撮像素子が配設された前面側とこの前面側とは反対側の裏面側とのいずれの側にも表示素子が配設され、上記外装体には、上記各表示素子に対応した位置に表示用の窓部が配設されていることを特徴とする請求項１に記載の電子カメラ。
　【請求項４】　上記駆動回路基板の端部にファインダ視野内で視認可能なように表示部材が配設されていることを特徴とする請求項１に記載の電子カメラ。
　【請求項５】　被写体を撮影するための撮影レンズと、
　上記撮像レンズによって結像された被写体像を光電変換するための撮像素子と、
　上記撮影レンズの光軸方向と直交する平面部と、レリーズボタンを有する上記光軸方向と平行な上面部と、該上面部と平行な底面部とを有する外装体と、
　上記外装体の上面部側に偏って配設されたストロボユニットと、
　上記外装体の上面部側に偏って配設されたファインダ部と、
　上記外装体の平面部と略平行に配設されると共に、上記ストロボユニットとは別体に配設されてなり、光学系の光路を配設するための光路配設用切欠を有する駆動回路基板と、
　上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードと、
　を具備したことを特徴とする電子カメラ。
【発明の詳細な説明】
［産業上の利用分野］
　本発明は、電子カメラ、詳しくは、回路基板を有する電子カメラに関する。
［従来の技術］
　従来、カメラなどにおいて、撮影レンズや測光レンズ等の透明材料などによる光学部材を、枠体部を構成するカメラ本体の適所に配設する場合、それぞれの光学部材を遮光部材である本体に穿設された開口部分に嵌合接着、超音波溶着等によって配設するようにしていた。例えば、第７図に示すコンパクトカメラの場合で説明すると、まず撮影レンズａについては、本体枠部３１の該当する開口部に同開口部を開口状態とし撮影レンズを露出させて配設し、また測光レンズｂは本体枠部３１の該当開口部に透明な保護用部材と共に配設する。また、オートフォーカス測距窓部ｃおよびストロボ窓部ｄに対してはそれぞれ該当開口部を覆う透明パネルを表面あるいは裏面から接着、溶着あるいは嵌め込み等で取付けていた。
　一方、電子カメラは、記録媒体としてフロッピーディスクが用いられており、フロッピーディスクの駆動ユニットを内蔵している。この駆動ユニットは、フロッピーディスクを回転させるための駆動機構、フロッピーディスクをローディングしたり、イジェクトするための機構等から構成されている。
　また、この電子カメラに内蔵される電子部品を実装する回路基板は、コストを低減するために、その数を減らして大きい回路基板が用いられる傾向にあり、この大きい回路基板に多数の電子部品が実装されている。
［発明が解決しようとする課題］
　このような電子カメラに内蔵される駆動ユニットは、上記各機構によって比較的大きく重量もあるため、電子カメラの小型、薄型化の妨げになってしまう。
　また、コストを低減するために大きな回路基板を用いると、これも同様に電子カメラを小型、薄型化する上で問題となってしまう。
　そこで、本発明の目的は、回路基板の大きな場合でもデッドスペースを生じることなく、小型、薄型化を図ることができる電子カメラを提供することにある。
［課題を解決するための手段および作用］
　本発明による電子カメラは、被写体を撮影するための撮影レンズと、上記撮影レンズの光軸方向と直交する平面部を有する外装体と、上記外装体の平面部と略平行に配設されてなり、光学系の光路を配設するための光路配設用切欠を有する駆動回路基板と、上記駆動回路基板の一方に偏った位置に配設されてなり、上記撮影レンズによって結像された被写体像を光電変換するための撮像素子と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードとを具備したことを特徴とする。
　本発明による他の電子カメラは、被写体を撮影するための撮影レンズと、上記撮像レンズによって結像された被写体像を光電変換するための撮像素子と、上記撮影レンズの光軸方向と直交する平面部と、レリーズボタンを有する上記光軸方向と平行な上面部と、該上面部と平行な底面部とを有する外装体と、上記外装体の上面部側に偏って配設されたストロボユニットと、上記外装体の上面部側に偏って配設されたファインダ部と、上記外装体の平面部と略平行に配設されると共に、上記ストロボユニットとは別体に配設されてなり、光学系の光路を配設するための光路配設用切欠を有する駆動回路基板と、上記外装体の平面部と上記駆動回路基板との間隙であって、上記光軸方向において上記撮像素子と重ならない位置に収納され、上記外装体の平面部又は上記駆動回路基板に沿って挿入、取り出しが可能な撮影情報を記憶するためのＩＣカードとを具備したことを特徴とする。
［実施例］
　以下、図示の実施例により本発明を説明する。この実施例のカメラはＣＣＤ等の撮像素子を用いた電子カメラであって、第１〜６図に示すように、その主要構成は、後述する光学部材が一体的に配設され、撮影レンズ部１ａの光軸方向と直交する平面部を有する本体前枠１および本体後枠２と、電池交換時等の電池の挿入、取出口となる本体底枠３（底面部）と上記本体枠間の接合面のシール用である防水パッキン４および５と、後述する各素子が搭載されていて、上記本体枠（外装体）に内蔵され、第２図に示すように本体枠の平面部と略平行に配設された駆動回路基板６と、この回路基板６とは切り離されて本体枠内に配設されるストロボユニット１５と、本体枠の上部（上面部）に露出しているレリーズボタン１９と、上記本体枠内に内蔵され、第２図に示すように本体枠の平面部と駆動回路基板６との間隙であって、光軸方向において撮像素子７と重ならない位置に収納され、本体枠の平面部又は駆動回路基板６に沿って、挿入、取出しが自在であるカメラ駆動用の電池２０、および撮影情報を記憶するＩＣカード、あるいは内蔵固体メモリからなる記憶媒体２１によって構成されている。
　次に、各構成部材について更に詳しく説明すると、まず、上記駆動回路基板６は、第４図に示すように、その基板６上の前面測の略上半部において、その中央部にＣＣＤからなる撮像素子７を配設し、その両側に測光素子８およびホワイトバランス用受光素子１１を設け、また下方にセルフタイマ表示用のＬＥＤ１２を配設してある。また同基板６には上記撮像素子７の配設位置の上方中央部分にファインダ光路配設用のコの字形の切欠６ａを、また、基板６の右上肩部にストロボユニット１５の配設のためのスペースとして切欠６ｂをそれぞれ設けてある。そして上記ファインダ光路配設用切欠６ａの左右位置には、ＬＥＤからなるＡＦ（オートフォーカス）用の赤外発光素子９およびＳＰＤからなる受光素子１０をそれぞれ配設してある。
　一方、基板６の裏面側には、上記ファインダ光路配設用切欠６ａの下側部にファインダ内表示用のＬＥＤアレー１３が配設されていて、また基板６の中央左側部（裏面から見て）には撮影枚数等の表示を行なうＬＥＤからなる表示用素子１４が配設されている。
　また、上記本体前枠１は、透明な合成樹脂材により形成されており、第１，２図に示すように上記基板６の前面側に配設された上述の各光学素子に対応した位置に、それぞれの光学素子等の機能に応じた光学部材が一体成型により形成される。即ち、上記撮像素子７に対しては撮影レンズ部１ａ、測光素子８には透明測光窓部１ｂ、ＡＦ用素子９，１０には透明ＡＦ窓部１ｃ，１ｄ、ホワイトバランス用受光素子１１には成形時に拡散面として形成される拡散面部１ｅ、セルフタイマ用ＬＥＤ１２にはレンズ部１ｆ、本体枠（外装体）の上面部側に偏って配設されたファインダ部には凹レンズ部１ｇ、また本体枠（外装体）の上面部側に偏って配設されたストロボユニット１５に対しては、透明窓部１ｈが本体前枠１上に一体成型により設けられている。
　そして、上記撮影レンズ部１ａは第６図に示されるように、その外周をテーパ付の薄肉のリング状支持部１ｋで支持されていて、前枠１に発生した応力はこの支持部で吸収されるようになっている。またこのように切り込みや縊れを有することによって、光軸Ｏ外からの光もカットされる効果を有している。
　なお、第６図に示されるように上記撮影レンズ部１ａをはじめ、表面の保護が必要な光学部材は本体前枠１の外表面より、その表面を一段下げて配設されている。
　一方、本体後枠２も透明な合成樹脂材で成型されていて、同後枠２にも第２，３図に示す如く、ファインダ部に対応して凸レンズに形成された接眼レンズ２ａが、また基板６の後面に配設された上記表示用素子１４に対応する位置に透明窓２ｂがそれぞれ、前枠１と同様に一体成型により設けられている。
　なお、本体前枠１，後枠２において、上述の光学的に機能する部分以外は塗装あるいはメッキによって遮光された遮光部１ｉ，２ｃが設けられることによって外乱光の入射を除去するようになっており、これによりファインダ部、表示部を見やすくしている。
　他方、本体枠内部には第２，６図に示すように、撮影光路およびファインダ光路に、本体前枠１および後枠２からの光や本体内のストロボ光、ＡＦ測距光などの外乱光が入射するのを遮光するために、撮影レンズ部１ａと撮像素子７との間の撮影光路を覆うようにして前枠１と上記基板６間に挟持して配設された円筒状の遮光筒１６と、ファインダレンズ部１ｇとファインダ接眼部２ａ間のファインダ光路を覆うようにして前枠１と後枠２間に挟持して配設された円筒状の遮光筒１８とが設けられている。
　次に、第６図の拡大図によって、それらの取付構造を説明すると、上記遮光筒１６は、その前端面に形成された嵌合凹部１６ｌが本体前枠１の内面側において前記撮影レンズ部１ａと同心の後方に突出する突起部１１と嵌合して取付けられ、後端部は基板６に固定された撮像素子７に嵌着されている。即ち、撮像素子７側においては、遮光筒１６の内端部に嵌合段部１６ｎ，１６ｐが形成され、大径の嵌合段部１６ｎが撮像素子７と嵌合し、内部の小径段部１６ｐが素子７の表面に取り付けられた赤外カットフィルタ１７を嵌合している。従って、撮影レンズ部１ａに対して撮像素子７は光軸Ｏとの芯ずれや結像距離のずれ、あるいは光軸Ｏに対する直角度の狂い等がなく取り付けられることになる。一方、上記遮光筒１８には光軸と直角方向の貫通孔１８ａが設けられ、ファインダ内表示用ＬＥＤ１３が上記の孔１８ａを通して挿入され、ファインダの視野内に上記ＬＥＤ１３が配設される。
　また、上記赤外カットフィルタ１７は光学的ローパスフィルタを含んで構成されており、更に遮光筒１６内には複数枚の撮影レンズ２２，２３がレンズ部１ａに接着あるいは、遮光筒１６の内部に嵌装されて取り付けられている。また遮光筒１６のレンズ側の先端面の内周部には断面がＶ型の突起１６ｋが設けられており、その突起１６ｋが前記撮影レンズ部１ａの支持部１ｋのテーパ部に嵌め込まれるように取付けられ、このＶ型突起１６ｋによってもレンズ側面から入射する外乱光は遮光されるようになっている。
　本体前，後枠１，２および底枠３の外装体の組立に際しては、第５図に示されるように本体前枠１を後枠２の間に防水パッキン４を挾み、本体前，後枠１，２と本体底枠３の間に防水パッキン５を挾み込んで組立てられる。
　以上のように構成された本実施例のカメラの組立および機能について説明する。まず、組立については本カメラは、従来のもののように各光学部材を個別に組立て、配置する必要がなく、本体前枠１，後枠２を組立てると各光学部材が必要位置に配設される。しかも、上記光学部材に対応する各光学素子，電気回路素子を搭載した基板６は本体前枠１に嵌合して適宜の手段によって同枠１に一体に取り付けられるものである。従って、部品点数削減によって組立工数が削減されるのみならず、組立精度による性能のバラツキもなくすことができる。
　また、本体前，後枠１，２は透明材料で成形されたものであるから、各光路系、即ち撮影光路、ファインダ光路、およびＡＦ用光路等に対して本体枠からの外乱光の入射を禁止するため、前述のように前枠，後枠１，２の必要部分の表面、あるいは内表面に塗装あるいはプラスチックメッキ等が施されているが、本実施例のような電子カメラの場合には通常の銀塩フィルム使用のカメラと違って、撮影の直前に撮像素子７にそれまで蓄積された光電荷を放電してしまえば、シャッタを切る以前の漏洩光の影響は除くことができる。しかし、銀塩フィルムカメラの場合には少しの光の洩れによってもフィルムは感光されてしまうことになる。
　従って、本電子カメラの場合、銀塩フィルムのような厳密な遮光性は必要とされず、本実施例の構造で示した程度の部分的な遮光で充分といえる。また、この本体の上記遮光手段については、他にもゴムシートやステッカを貼り付けるか、また、不透明プラスチックを必要部分に２色成形するか、あるいはインサート成形するなどの手段で遮光することもできる。また、本実施例のものの場合、表面に塗装あるいはメッキを施したが、本体前枠１の裏面の対応する部分を塗装またはメッキするようにしてもよい。
　次に、撮影レンズおよび撮影光路系について説明すると、すでに構造の説明で記載したように本実施例の撮影レンズは本体前枠１に対して撮影に影響されない程度の弾性支持がなされているから、成形時の応力や経年変化による変形、また組立による本体枠の変形や撮影中の外力による変形があったとしても上記弾性支持部であるリング状支持部１ｋの部分で変形が吸収され、撮影レンズ部１ａに応力が発生し難いので撮影に支障をきたすようなことがない。また撮影レンズ部１ａと撮像素子７が配置される相対位置は、両者間に設けられる上記単純な形状の円筒状の遮光筒１６を介して組付けられるので、高い精度を保持することができる。この遮光筒１６は、上記の実施例では圧接嵌合により挟持して組付けられるものとしたが、これを金属製の筒とし、本体前枠１にインサート成形することによって設けることも可能である。なおファインダ光路部にも遮光筒１８が挟持されているが、この部品も同様にインサート成形で設けることができる。また、これらの遮光筒１６，１８は本体前枠１で一体成形によって形成し、その円筒部をメッキまたは塗装することによって遮光することもでき、また遮光筒部を２色成形で形成することも可能である。
　ＡＦ用のＬＥＤからなる発光素子９やＳＰＤからなる受光素子１０に対応する本体前枠１の窓部１ｃ，１ｄについて、上記の実施例では透明材料を使用するとしたが、ＡＦ用の測距に対して、光などの放射線の測定媒体としてその波長を限定することによって、外乱光の影響をできるだけ除外して測距精度を上げるために、成形材料として所望の波長の放射線の透過が可能なものを用いて、本体前枠１を成形し、必要とする部品以外の枠構造部を遮蔽部材で遮蔽して高精度のＡＦ用測距を行なうことも可能である。また本実施例の撮影レンズ部１ａの部品は必要に応じて平板の透明窓で構成してもよいし、またフィルタ特性を持たせて構成することも可能である。更にストロボ窓部１ｈについてはストロボ光を効果的に射出するため平面板状でなく波形面等とすることも可能である。
　また、本実施例においては光学部材が配設される本体前枠１は、中央のパーティング部より前方の全範囲を囲う枠として形成されるものであるが、成形材料費の低減のため、光学部材の集中する前面部、即ち、第１図の遮光部１ｉで囲われている平面部のみを高価な光学樹脂で成形し、その他の枠部分は非光学材料で成形することも可能である。更には光学部材の部分のみ光学材料とし、その他の部分は遮光性のある非光学材料として２色成形することも可能である。
［発明の効果］
　以上述べたように本発明の電子カメラは、回路基板の大きな場合でもデッドスペースを生じることなく、小型、薄型化を図ることができる。また、ストロボユニットを駆動回路基板とは別体に配設したので、駆動回路基板はストロボ発光時に生じるノイズの影響を受けにくくなる。更に、駆動回路基板の両面に各表示素子を配設したので、コストを低減することができる。そして、駆動回路基板の端部にファインダ用の表示部材を配設したので、表示部材を取り付けるための部品を削減でき、コストを低減することができる。また、駆動回路基板をストロボユニットとは別体に配設したので、駆動回路基板はストロボ発光時に生じるノイズの影響を受けにくくなり、外装体を貫通するファインダ部を装体の上面部側に偏って配設したので、スペース効率が良くなる。
【図面の簡単な説明】
　第１図は、本発明の一実施例を示す電子カメラの正面図、
　第２図は、上記第１図のカメラの中央縦断面図、
　第３図は、上記第１図のカメラの背面図、
　第４図は、上記第１図のカメラの内部に配設される駆動回路基板の正面図、
　第５図は、上記第１図のカメラの本体枠および防水パッキンの分解斜視図、
　第６図は、上記第１図のカメラの撮影レンズ部の周辺の要部拡大断面図、
　第７図は、従来のコンパクトカメラの一例を示す正面図である。
　１，２……本体枠（光学部材）
　１ａ……撮影レンズ部（光学部材）
　１ｂ……測光窓（光学部材）
　１ｃ，１ｄ……ＡＦ用測距窓（光学部材）
　１ｅ……ホワイトバランス窓（光学部材）
　１ｆ……セルフタイマ表示窓（光学部材）
　１ｇ……ファインダレンズ窓（光学部材）